(57)【要約】【課題】付箋紙束が嵩張らないように持ち運ぶことが可能で、付箋紙を使用するそばに付箋紙束を配置することができるクリップ付き付箋及びその保持具を提供する。【解決手段】台紙１２にクリップ２０を連結する。クリップ２０で付箋紙束１０を任意の場所に保持するように構成する。クリップ２０は板状を成す。台紙１２に接着する接合部２１をクリップ２０に形成する。該接合部２１から延長形成され被保持物Ｐに係止する係止部２２を形成する。被保持物Ｐとして付箋を保持する保持具を構成する。差込口を備えた板状物にて保持具を形成する。差込口にクリップ２０を係止して付箋紙束１０を保持する。【選択図】  図３
0003221172.tif 000002
【実用新案登録請求の範囲】
【請求項１】
接着自在な複数枚の付箋紙を台紙に貼り付けて付箋紙束を形成した付箋において、台紙にクリップを装着し、該クリップで付箋紙束を任意の被保持物に保持するように構成したことを特徴とするクリップ付き付箋。
【請求項２】
前記クリップは板状を成し、前記台紙に接合する接合部と、該接合部から延長形成され前記被保持物に係止する係止部とを備えた請求項１記載のクリップ付き付箋。
【請求項３】
前記クリップは板状体にて形成され、該板状体の盤面を一部くり貫いて形成された前記接合部を前記台紙に接着接合し、前記接合部の一端部から前記接合部の周囲を囲むように前記係止部が連続形成され、前記係止部と前記接合部との間に挟着した前記被保持物に前記クリップを係止するように構成した請求項１又は２記載のクリップ付き付箋。
【請求項４】
請求項１乃至３のいずれか一項に記載のクリップ付き付箋を複数個保持する保持具であって、該保持具は複数の差込口を備えた板状体にて形成され、各差込口に前記クリップを係止して前記付箋紙束を保持するように構成したことを特徴とするクリップ付き付箋の保持具。
【請求項５】
前記保持具は板状体を二つ折りにして自立するように構成され、折曲された二片のいずれか一方又は両方に前記差込口を形成した請求項４記載のクリップ付き付箋の保持具。
【考案の詳細な説明】
【技術分野】
【０００１】
本考案は、付箋紙を重ねて台紙に貼り付けた付箋紙束を、手帳やノート等の任意の位置にクリップで保持し、必要に応じて付箋紙束から付箋紙を１枚ずつ使用することができるクリップ付き付箋及びその保持具に関する。
【背景技術】
【０００２】
一般に、接着可能な付箋紙は、台紙に複数枚貼り付けられて付箋紙束になり、この付箋紙束から付箋紙を１枚ずつ剥して使用する。例えば、手帳やノートに付箋紙を使用する場合、手帳やノートと共に付箋紙束を持ち運ぶことになる。
【０００３】
また、付箋紙の形状やサイズが多様化しており、ペンケース等に収納できないタイプの付箋紙束も多く使用されている。この場合、付箋紙束が薄いと紛失し易く、また、厚い付箋紙束では携帯時に嵩張る不都合がある。
【０００４】
特許文献１に、複数枚の付箋シートをノートのようにファイリングする付箋紙が記載されている。この付箋紙セットは、ファイリングされた大量の付箋紙シートをノートブックとして利用することができるというものである。
【０００５】
一方、特許文献２に複数の付箋紙束を収納する付箋紙セットが示されている。この付箋紙セットは、厚紙を折り曲げた台紙部に、複数の付箋紙束を収納するもので、必要なときに台紙部から付箋紙束を取り出して使用するように構成されている。
【先行技術文献】
【特許文献】
【０００６】
【特許文献１】特開２００７-２８３５１８号公報
【特許文献２】実用新案登録第３２１５１５７号公報
【考案の概要】
【考案が解決しようとする課題】
【０００７】
ところが、特許文献１のごとく、ノートのようにファイリングされた付箋紙や、特許文献２のように、台紙に付箋紙束を数多く収納する付箋紙セットでは、付箋紙束を持ち運ぶために、大掛かりなファイルや台紙を携帯することになる。一般に付箋紙を使用する場合、１個あるいは数個の付箋紙束で十分なことが多いので、大量の付箋紙束を収納する大掛かりなファイルや台紙を携帯しなければならない状況は極めて限定的であると思われる。
【０００８】
そこで本考案は、上述の課題を解消すべく案出されたもので、本やノート等と共に付箋紙束を携帯することが可能で、しかも、付箋紙を使用する近くに適数個の付箋紙束を配置することができるクリップ付き付箋及びその保持具の提供を目的とするものである。
【課題を解決するための手段】
【０００９】
上述の目的を達成すべく本考案における第１の手段は、接着自在な複数枚の付箋紙１１を台紙１２に貼り付けて付箋紙束１０を形成した付箋において、台紙１２にクリップ２０を装着し、該クリップ２０で付箋紙束１０を任意の被保持物Ｐに保持するように構成したことにある。
【００１０】
第２の手段において、前記クリップ２０は板状を成し、前記台紙１２に接合する接合部２１と、該接合部２１から延長形成され前記被保持物Ｐに係止する係止部２２とを備えた構成とする。
【００１１】
第３の手段の前記クリップ２０は板状体にて形成され、該板状体の盤面を一部くり貫いて形成された前記接合部２１を前記台紙１２に接着接合し、前記接合部２１の一端部から前記接合部２１の周囲を囲むように前記係止部２２が連続形成され、前記係止部２２と前記接合部２１との間に挟着した前記被保持物Ｐに前記クリップ２０を係止するように構成したものである。
【００１２】
第４の手段は、クリップ付き付箋を複数個保持する保持具３０であって、該保持具３０は複数の差込口３１を備えた板状体にて形成され、各差込口３１に前記クリップ２０を係止して前記付箋紙束１０を保持するように構成したことにある。
【００１３】
第５の手段は、前記保持具３０は板状体を二つ折りにして自立するように構成され、折曲された二片のいずれか一方又は両方に前記差込口３１を形成したものである。
【考案の効果】
【００１４】
本考案の請求項１によると、台紙１２にクリップ２０を装着し、該クリップ２０で付箋紙束１０を任意の被保持物Ｐに保持するように構成したことにより、このクリップ２０を使用して本やノート等に付箋紙束１０を配置することができる。この結果、本やノートを持ち運ぶ際に、これらと共に付箋紙束１０を携帯することが可能になった。
【００１５】
しかも、クリップ２０を使用することで、本やノート以外の被保持物Ｐに付箋紙束１０を配置することも可能になる。したがって、付箋紙１１を使用するのに最適な位置に付箋紙束１０を配置できるので、付箋紙１１の使用も合理的になる。
【００１６】
請求項２のように、クリップ２０は板状を成し、台紙１２に接合する接合部２１と、該接合部２１から延長形成され任意の被保持物Ｐに係止する係止部２２とを備えた構成により、嵩張らないクリップ２０を形成することができる。この結果、クリップ付き付箋をコンパクトな形状にすることができる。
【００１７】
請求項３のごとく、前記クリップ２０は板状体にて形成され、該板状体の盤面を一部くり貫いて形成された前記接合部２１を前記台紙１２に接着接合し、前記接合部２１の一端部から前記接合部２１の周囲を囲むように前記係止部２２が連続形成され、前記係止部２２と前記接合部２１との間に挟着した部材に前記クリップ２０を係止するように構成したことで、クリップ２０を台紙１２に重ねることが可能になる。したがって、台紙１２を介して付箋紙束１０とクリップ２０とが一体化し、極めてコンパクトなクリップ付き付箋を提供することが可能になる。
【００１８】
請求項４のように、保持具３０は複数の差込口３１を備えた板状体にて形成され、該差込口３１にクリップ２０を係止して複数のクリップ付き付箋を保持するように構成しているので、複数の付箋紙束１０を、この保持具３０に装着して携帯することができる。しかも、保持具３０は板状体にて形成されているので嵩張らず、携帯に適した保持ができる。
【００１９】
請求項５のごとく、保持具３０は板状体を二つ折りにして自立するように構成され、折曲された二片のいずれか一方又は両方に差込口３１を形成しているので、この保持具３０を机上等に立設すると、付箋紙束１０を保持する簡易的なスタンドとして使用することができる。この結果、付箋紙１１を使用する近くにこの保持具３０を立設しておくと、適数個の付箋紙１１の使用が合理的になる。しかも、複数の付箋紙束１０が保持具３０に保持されているので、付箋紙束１０の散乱や紛失等も防止する。
【００２０】
このように本考案によると、本やノート等と共に付箋紙束を携帯することが可能で、しかも、付箋紙を使用する近くに適数個の付箋紙束を配置することができるなどといった当初の目的を達成した。
【図面の簡単な説明】
【００２１】
【図１】本考案の分解斜視図である。
【図２】本考案のクリップ側から見た斜視図である。
【図３】（イ）、（ロ）は、クリップを係止する工程を示す図である。
【図４】本考案の保持具の一実施例を示す斜視図である。
【図５】保持具の裏側を示す展開図である。
【図６】保持具の他の実施例を示す斜視図である。
【考案を実施するための形態】
【００２２】
以下、本考案の実施例を説明する。本考案付箋は、接着自在な複数枚の付箋紙１１を台紙１２に重ねて形成した付箋紙束１０にクリップ２０を設けた付箋である（図１参照）。
【００２３】
すなわち、このクリップ２０を台紙１２に装着することで、付箋紙束１０を任意の場所に保持できるように構成している（図３（イ）、（ロ）参照）。図示のクリップ２０は板状を成している（図２参照）。そして、台紙１２に接着する接合部２１と、該接合部２１から延長形成され任意の場所に係止する係止部２２とを備えた構成である。
【００２４】
図示例では、クリップ２０を板紙にて形成し、この盤面の一部を円弧状にくり貫いて接合部２１を形成している（図２参照）。そして、この接合部２１を台紙１２に接着接合したものである。
【００２５】
一方、係止部２２は、接合部２１の一端部から延長し、接合部２１の円弧状の周囲を囲むように連続形成されている。そして、係止部２２と接合部２１との間にノートや手帳の被保持物Ｐを挟着し、これらノートや手帳にクリップ２０を係止させる（図３参照）。
【００２６】
更に、板紙にて形成した保持具３０と台紙１２とのサイズを近似させ、この台紙１２に保持具３０が重なるように接着接合すると、台紙１２と保持具３０とが一体化した状態になる（図２参照）。この結果、付箋紙束１０と保持具３０とが一体化し、本考案クリップ付き付箋紙を極めてコンパクトに形成することができる。
【００２７】
尚、クリップ２０の形状や材質は任意に変更することが可能であり、例えば文房具で使用されている合成樹脂材や金属材等の各種のクリップを選択使用することが可能である。また、台紙１２にクリップ２０を装着する手段もクリップ２０の形状や材質に応じて任意に変更することができる。
【００２８】
本考案では、クリップ２０の被保持物Ｐとして保持具３０を構成している。この保持具３０は、複数個のクリップ付き付箋を保持するものである（図４参照）。保持具３０は板状体にて形成され、該板状体の盤面に複数の差込口３１を備えている。そして、各差込口３１にクリップ２０を係止して複数の付箋紙束１０を保持するように構成したものである（図５参照）。
【００２９】
この保持具３０は板状体を二つ折りにして自立するように構成している。更に、折曲された二片のいずれか一方又は両方に複数の差込口３１を形成する。保持具３０の材質は紙材やプラスチック材、金属材、木材などの各種板状体を使用することが可能である。
【００３０】
図示例では、板紙を折曲した二片の片側のみに複数の差込口３１を形成している（図４参照）。そして、付箋紙束１０を保持したこの保持具３０を、あたかもインテリア装飾の置物のように構成することも可能である。
【００３１】
例えば、図４に示す保持具３０は、屋根型に折曲した形状を成している。また、図６に示す保持具３０は、平面略Ｌ字形状成すように折曲したものである。更に、板状体を折曲せずにカード状の保持具３０を形成することも可能である。このように、保持具３０の形状やデザイン、サイズ等も任意に変更することができる。
【００３２】
尚、本考案の付箋紙１１や台紙１２から成る付箋紙束１０の形状やサイズ等も図示例に限定されるものではなく、本考案の要旨を変更しない範囲において自由に変更できるものである。
【符号の説明】
【００３３】
Ｐ  被保持物
１０  付箋紙束
１１  付箋紙
１２  台紙
２０  クリップ
２１  接合部
２２  係止部
３０  保持具
３１  差込口
【図１】
0003221172.tif 000003
【図２】
0003221172.tif 000004
【図３】
0003221172.tif 000005
【図４】
0003221172.tif 000006
【図５】
0003221172.tif 000007
【図６】
0003221172.tif 000008